(57)【特許請求の範囲】
【請求項１】
サーバ側からのコンテンツの解釈、実行を行う携帯端末装置であって、
前記サーバから前記コンテンツを取得して記憶装置の該当領域に格納するコンテンツ格納手段と、該当するコンテンツを前記サーバ及び前記記憶装置のいずれかから読取るコンテンツ読取り手段と、前記コンテンツ読取り手段で読取ったコンテンツを解釈して実行するコンテンツ解釈実行手段とを有し、
前記コンテンツ解釈実行手段は、前記コンテンツ中の記述に応じて、値を格納可能なメモリ上の場所を示す変数を少なくとも指定された変数名で定義し、その変数の値を設定し、定義された１以上の変数を変数群として管理するとともに、前記コンテンツ中の記述にて指定された変数の値を変数群から参照し、
前記コンテンツ解釈実行手段は、前記コンテンツ中の記述に応じて、別のコンテンツに遷移する際に遷移元のコンテンツで使用した変数群を遷移先のコンテンツに引き継いで当該遷移先のコンテンツから前記変数群にアクセス自在とし、当該変数を使用したコンテンツを構築可能とすることを特徴とする携帯端末装置。
【請求項２】
前記コンテンツ解釈実行手段は、少なくとも実行結果の前記記憶装置への保存及び前記実行結果を出力装置への出力を行うことを特徴とする請求項１記載の携帯端末装置。
【請求項３】
前記コンテンツは、タグ言語で記述され、画面表示のための記述と処理の実行が可能な記述とを含むことを特徴とする請求項１または請求項２記載の携帯端末装置。
【請求項４】
前記コンテンツ解釈実行手段は、前記コンテンツ上の構文に応じて、指定された変数について変数名とその値とを記憶する定義と、前記変数の値を読出す参照と、前記変数の値を更新する更新と、前記変数を削除する消去とを実行することを特徴とする請求項１から請求項３のいずれか記載の携帯端末装置。
【請求項５】
前記コンテンツ解釈実行手段は、前記コンテンツ中の記述に応じて、指定された１以上の変数を不揮発性の状態の永続変数群として保存し、当該永続変数群を他のコンテンツから参照自在とすることを特徴とする請求項１から請求項４のいずれか記載の携帯端末装置。
【請求項６】
前記コンテンツ解釈実行手段は、前記コンテンツ中の記述に応じて、前記永続変数群へのアクセス権が定義されている時に当該永続変数群内の変数を前記アクセス権を持つ他のコンテンツからアクセス自在とすることを特徴とする請求項５記載の携帯端末装置。
【請求項７】
端末装置側でサーバ側からのコンテンツの解釈、実行を行うＷｅｂアプリケーションシステムに用いられるＷｅｂコンテンツ間変数引継ぎ方法であって、
前記端末装置が、前記サーバから前記コンテンツを取得して記憶装置の該当領域に格納する第１の処理と、該当するコンテンツを前記サーバ及び前記記憶装置のいずれかから読取る第２の処理と、前記第２の処理で読取ったコンテンツを解釈して実行する第３の処理とを実行し、
前記第３の処理は、前記コンテンツ中の記述に応じて、値を格納可能なメモリ上の場所を示す変数を少なくとも指定された変数名で定義し、その変数の値を設定し、定義された１以上の変数を変数群として管理するとともに、前記コンテンツ中の記述にて指定された変数の値を変数群から参照し、
前記第３の処理は、前記コンテンツ中の記述に応じて、別のコンテンツに遷移する際に遷移元のコンテンツで使用した変数群を遷移先のコンテンツに引き継いで当該遷移先のコンテンツから前記変数群にアクセス自在とし、当該変数を使用したコンテンツを構築可能とすることを特徴とするＷｅｂコンテンツ間変数引継ぎ方法。
【請求項８】
端末装置側でサーバ側からのコンテンツの解釈、実行を行うＷｅｂアプリケーションシステムに用いられる前記端末装置のコンピュータに実行させるプログラムであって、
前記サーバから前記コンテンツを取得して記憶装置の該当領域に格納する第１の処理と、該当するコンテンツを前記サーバ及び前記記憶装置のいずれかから読取る第２の処理と、前記第２の処理で読取ったコンテンツを解釈して実行する第３の処理とを含み、
前記第３の処理において、前記コンテンツ中の記述に応じて、値を格納可能なメモリ上の場所を示す変数を少なくとも指定された変数名で定義させ、その変数の値を設定させ、定義された１以上の変数を変数群として管理させるとともに、前記コンテンツ中の記述にて指定された変数の値を変数群から参照させ、
前記第３の処理において、前記コンテンツ中の記述に応じて、別のコンテンツに遷移する際に遷移元のコンテンツで使用した変数群を遷移先のコンテンツに引き継いで当該遷移先のコンテンツから前記変数群にアクセス自在とさせ、当該変数を使用したコンテンツを構築可能とさせることを特徴とするプログラム。
【発明の詳細な説明】
【技術分野】
【０００１】
本発明は携帯端末装置及びそれらに用いるＷｅｂコンテンツ間変数引継ぎ方法並びにそのプログラムに関し、特にクライアント側でコンテンツの解釈、実行を行うＷｅｂアプリケーションシステムに関する。
【背景技術】
【０００２】
Ｗｅｂアプリケーションシステムにおいては、クライアント側からサーバ側にＵＲＬ（Ｕｎｉｆｏｒｍ  Ｒｅｓｏｕｒｃｅ  Ｌｏｃａｔｏｒ）やパラメータ（変数）を送信すると、それらＵＲＬやパラメータにしたがってサーバ側でＷｅｂアプリケーションが実行され、その結果がコンテンツとしてクライアント側に送信される。ここで、コンテンツとは、ＨＴＭＬ（Ｈｙｐｅｒ  Ｔｅｘｔ  Ｍａｒｋｕｐ  Ｌａｎｇｕａｇｅ）のようなタグ言語で記述され、画面表示のための記述だけでなく、処理の実行が可能な記述（スクリプト）を含むものがある（例えば、特許文献１参照）。
【０００３】
また、Ｗｅｂアプリケーションとはクライアント側のユーザインタフェースにＷｅｂブラウザが利用され、その入出力画面は基本的にＨＴＭＬで記述されている。また、クライアント側とサーバ側との間の通信にはＨＴＴＰ（Ｈｙｐｅｒ  Ｔｅｘｔ  Ｔｒａｎｓｆｅｒ  Ｐｒｏｔｏｃｏｌ）が使用されている。
【０００４】
上記のＷｅｂアプリケーションとしては、既存の社内システム（例えば、販売管理、人事・給与管理、受発注管理、帳票管理等）をＷｅｂアプリケーション化したもの、一般顧客向けに公開しているＷｅｂページに、顧客に対するサービスとしてＷｅｂサービス［例えば、ＢｔｏＣ（Ｂｕｓｉｎｅｓｓ  ｔｏ  Ｃｏｎｓｕｍｅｒ）アプリケーションやポタールアプリケーション等］を追加したものがある。
【０００５】
ＢｔｏＣアプリケーションとしては、旅行や航空券、コンサート等のチケット等の予約、各種保険料や自動車等の見積もり、オンラインバンキング、オンライントレーディング、掲示板サービス等がある。また、ポタールアプリケーションとしては、サーチエンジン、Ｗｅｂメールサービス、辞書・翻訳サービス、株や通貨、及び各種ニュース等のリアルタイム速報等がある。
【０００６】
【特許文献１】特開２００５−１０７６９９号公報
【発明の開示】
【発明が解決しようとする課題】
【０００７】
上述した従来のＷｅｂアプリケーションシステムでは、クライアント側のＷｅｂブラウザから、サーバ側に存在するコンテンツに対してアクセスするものであり、コンテンツ中で変数を使用するためには、例えばＪａｖａ（登録商標）Ｓｃｒｉｐｔのようなプログラムを使用して変数を反映したコンテンツをサーバ上で動的に生成する必要がある。また、従来のＷｅｂアプリケーションシステムでは、クライアント側とサーバ側との間の通信が必要であり、変数を用いたコンテンツではクライアント側とサーバ側との間の通信が切断されている場合、変数を使用することができず、コンテンツの情報量が減少する場合が多い。
【０００８】
そこで、本発明の目的は上記の問題点を解消し、変数を使用したコンテンツを容易に構築することができ、クライアント側とサーバ側との間の通信がない状態（オフライン）でもコンテンツを閲覧することができる携帯端末装置及びそれらに用いるＷｅｂコンテンツ間変数引継ぎ方法並びにそのプログラムを提供することにある。
【課題を解決するための手段】
【００１０】
本発明による携帯端末装置は、サーバ側からのコンテンツの解釈、実行を行う携帯端末装置であって、
前記サーバから前記コンテンツを取得して記憶装置の該当領域に格納するコンテンツ格納手段と、該当するコンテンツを前記サーバ及び前記記憶装置のいずれかから読取るコンテンツ読取り手段と、前記コンテンツ読取り手段で読取ったコンテンツを解釈して実行するコンテンツ解釈実行手段とを備え、
前記コンテンツ解釈実行手段は、前記コンテンツ中の記述に応じて、値を格納可能なメモリ上の場所を示す変数を少なくとも指定された変数名で定義し、その変数の値を設定し、定義された１以上の変数を変数群として管理するとともに、前記コンテンツ中の記述にて指定された変数の値を変数群から参照し、
前記コンテンツ解釈実行手段は、前記コンテンツ中の記述に応じて、別のコンテンツに遷移する際に遷移元のコンテンツで使用した変数群を遷移先のコンテンツに引き継いで当該遷移先のコンテンツから前記変数群にアクセス自在とし、当該変数を使用したコンテンツを構築可能としている。
【００１１】
本発明によるＷｅｂコンテンツ間変数引継ぎ方法は、端末装置側でサーバ側からのコンテンツの解釈、実行を行うＷｅｂアプリケーションシステムに用いられるＷｅｂコンテンツ間変数引継ぎ方法であって、
前記端末装置が、前記サーバから前記コンテンツを取得して記憶装置の該当領域に格納する第１の処理と、該当するコンテンツを前記サーバ及び前記記憶装置のいずれかから読取る第２の処理と、前記第２の処理で読取ったコンテンツを解釈して実行する第３の処理とを実行し、
前記第３の処理は、前記コンテンツ中の記述に応じて、値を格納可能なメモリ上の場所を示す変数を少なくとも指定された変数名で定義し、その変数の値を設定し、定義された１以上の変数を変数群として管理するとともに、前記コンテンツ中の記述にて指定された変数の値を変数群から参照し、
前記第３の処理は、前記コンテンツ中の記述に応じて、別のコンテンツに遷移する際に遷移元のコンテンツで使用した変数群を遷移先のコンテンツに引き継いで当該遷移先のコンテンツから前記変数群にアクセス自在とし、当該変数を使用したコンテンツを構築可能としている。
【００１２】
本発明によるプログラムは、端末装置側でサーバ側からのコンテンツの解釈、実行を行うＷｅｂアプリケーションシステムに用いられる前記端末装置のコンピュータに実行させるプログラムであって、
前記サーバから前記コンテンツを取得して記憶装置の該当領域に格納する第１の処理と、該当するコンテンツを前記サーバ及び前記記憶装置のいずれかから読取る第２の処理と、前記第２の処理で読取ったコンテンツを解釈して実行する第３の処理とを含み、
前記第３の処理において、前記コンテンツ中の記述に応じて、値を格納可能なメモリ上の場所を示す変数を少なくとも指定された変数名で定義させ、その変数の値を設定させ、定義された１以上の変数を変数群として管理させるとともに、前記コンテンツ中の記述にて指定された変数の値を変数群から参照させ、
前記第３の処理において、前記コンテンツ中の記述に応じて、別のコンテンツに遷移する際に遷移元のコンテンツで使用した変数群を遷移先のコンテンツに引き継いで当該遷移先のコンテンツから前記変数群にアクセス自在とさせ、当該変数を使用したコンテンツを構築可能とさせることを特徴とする。
【００１３】
すなわち、本発明のＷｅｂアプリケーションシステムは、クライアント側でコンテンツの解釈、実行を行うシステムにおいて、コンテンツ内で用いられる変数を別のコンテンツでも使用可能とする方法に関するものである。ここで、コンテンツとは、ＨＴＭＬ（Ｈｙｐｅｒ  Ｔｅｘｔ  Ｍａｒｋｕｐ  Ｌａｎｇｕａｇｅ）のようなタグ言語で記述され、画面表示のための記述だけでなく、処理の実行が可能な記述（スクリプト）を含むものとする。また、変数とは値を格納可能なメモリ上の場所を示している。
【００１４】
本発明のＷｅｂアプリケーションシステムでは、サーバ側から取得するオンラインコンテンツだけでなく、クライアント側に格納されたオフラインコンテンツをも扱うことが可能である。このようなＷｅｂアプリケーションシステムは、従来存在していない。本発明のＷｅｂアプリケーションシステムは、上記のようなシステム上の変数の取り扱いに関するものである。
【００１５】
より具体的に説明すると、本発明のＷｅｂアプリケーションシステムにおけるクライアント側のアプリケーションは、サーバ側にあるコンテンツ及び予めクライアント側に格納したコンテンツを扱うことが可能である。サーバ側にあるコンテンツ及び予めクライアント側に格納したコンテンツを処理する過程で、コンテンツ内では変数を、指定された変数名や型で定義することが可能であり、またその値を設定することが可能である。さらに、その値は変数の参照時に取出すことが可能となっている。
【００１６】
コンテンツ内で定義された一つ乃至複数の変数（変数群）は、そのコンテンツが別のコンテンツへ遷移する際に、別のコンテンツへと引き継がれ、遷移先のコンテンツから変数にアクセスすることが可能となっている。尚、遷移する際に変数群を引き継ぐかどうかは指定することが可能となっている。
【００１７】
また、一つ乃至複数の変数を永続変数群としてストレージに保存することで、その変数を別のコンテンツから参照することが可能となっている。つまり、コンテンツには永続変数群へのアクセス権が定義されている。永続変数群内の変数は、アクセス権を持つ他のコンテンツからアクセスすることが可能である。ここで、永続変数群とはストレージ等に保存することで、電源が切れても消えてしまうことのない不揮発性の状態の変数群を示している。
【００１８】
本発明のＷｅｂアプリケーションシステムでは、上述したような各点を特徴としている。本発明のＷｅｂアプリケーションシステムでは、上記の方法によって、Ｗｅｂアプリケーション上のコンテンツ間で、必要に応じて変数名とその値とを引き継ぐことが可能になる。また、アクセス権を持つコンテンツからはストレージに保存された変数群（永続変数群）にアクセスすることが可能になる。
【００１９】
これによって、本発明のＷｅｂアプリケーションシステムでは、コンテンツ間で変数を引き継ぐことが可能となり、クライアント側にコンテンツを保存している状態では、クライアント側とサーバ側との間の通信を行わなくとも、コンテンツを閲覧することが可能となる。
【００２０】
本発明のＷｅｂアプリケーションシステムでは、コンテンツ上で決まった構文にて変数を指定することによって、指定された変数について定義（変数名とその値とを記憶する）、参照（変数の値を読出す）、更新（変数の値を更新する）、消去（変数を削除する）が可能となる。
【００２１】
コンテンツ間での変数の引継ぎは、コンテンツ間で決まった指定によって遷移元で使用していた変数とその値を、遷移先のコンテンツに引き継ぐまたは引き継がない処理、コンテンツ上で決まった構文にて変数を指定することによって指定された変数名及びその値をクライアント側の永続変数群として保存して参照する処理、コンテンツに決まった構文にて永続変数群へのアクセス権を定義可能とし、アクセス権のあるコンテンツ上で決まった構文にて変数を指定することによって指定された変数へのアクセスを行う処理を定義している。これによって、コンテンツ間での変数の引継ぎが可能となる。
【発明の効果】
【００２２】
本発明のＷｅｂアプリケーションシステムは、以下に述べるような構成及び動作とすることで、変数を使用したコンテンツを容易に構築することができるという効果が得られる。
【００２３】
また、本発明の他のＷｅｂアプリケーションシステムは、クライアント側とサーバ側との間の通信がない状態（オフライン）でもコンテンツを閲覧することができるという効果が得られる。
【発明を実施するための最良の形態】
【００２４】
次に、本発明の実施例について図面を参照して説明する。図１は本発明の一実施例によるＷｅｂアプリケーションシステムの構成を示すブロック図である。図１において、本発明の一実施例によるＷｅｂアプリケーションシステムは、携帯端末装置（クライアント）１とＷｅｂサーバ２とをネットワーク１００を通して接続して構成されている。
【００２５】
携帯端末装置１はコンテンツ格納手段１１と、コンテンツ読取り手段１２と、コンテンツ解釈実行手段１３と、通信手段１４と、記憶装置１５と、出力装置１６とから構成されている。尚、携帯端末装置１のコンテンツ格納手段１１、コンテンツ読取り手段１２、コンテンツ解釈実行手段１３各々の処理動作は図示せぬＣＰＵ（中央処理装置）等のコンピュータで実行可能なプログラムでも実現可能である。
【００２６】
コンテンツ格納手段１１はＷｅｂサーバ２からコンテンツを取得し、記憶装置１５の該当領域に格納する。コンテンツ読取り手段１２は該当するコンテンツをＷｅｂサーバ２または記憶装置１５から読取る。該当するコンテンツはＵＲＬ（Ｕｎｉｆｏｒｍ  Ｒｅｓｏｕｒｃｅ  Ｌｏｃａｔｏｒ）で指定することができる。
【００２７】
コンテンツ解釈実行手段１３はコンテンツ読取り手段１２で読取ったコンテンツを解釈して実行し、必要に応じてデータを記憶装置１５に保存したり、結果を出力装置１６に出力したりする。コンテンツ解釈実行手段１３はコンテンツ中の記述に応じて、変数を、指定された変数名や型で定義したり、またその値を設定したりしている。コンテンツ解釈実行手段１３は定義された一つ乃至複数の変数を変数群として管理する。さらに、コンテンツ解釈実行手段１３はコンテンツ中の記述によって、指定された変数の値を変数群から参照する。ここで、変数とは値を格納可能なメモリ上の場所を示している。
【００２８】
尚、変数群はコンテンツ中の記述によって、コンテンツ解釈実行手段１３において別のコンテンツに遷移する際に引き継がれ、遷移先のコンテンツから変数群にアクセスすることができる。コンテンツの記述によっては遷移先のコンテンツに変数群が引き継がれないようにすることもできる。
【００２９】
また、コンテンツ解釈実行手段１３はコンテンツ中の記述によって、指定された一つ乃至複数の変数を永続変数群としてストレージに保存することで、永続変数群を他のコンテンツから参照することもできる。ここで、永続変数群とはストレージ等に保存することで、電源が切れても消えてしまうことのない不揮発性の状態の変数群を示している。
【００３０】
さらに、コンテンツには上記の永続変数群へのアクセス権が定義されており、永続変数群内の変数はアクセス権を持つ他のコンテンツからアクセスすることができる。
【００３１】
記憶装置１５にはコンテンツ格納手段１１がそれぞれのコンテンツを記憶し、コンテンツ解釈実行手段１３がスクリプトの実行にしたがってデータ（コンテンツそのものや一つ乃至複数の変数等）を記憶する。
【００３２】
図２は本発明の一実施例によるＷｅｂアプリケーションシステムの動作を示すシーケンスチャートであり、図３は図１の携帯端末装置１の動作を示すフローチャートである。図４及び図５は本発明の一実施例によるコンテンツの一例を示す図である。これら図１〜図５を参照して本発明の一実施例によるＷｅｂアプリケーションシステムの動作について説明する。尚、図３に示す処理動作は携帯端末装置１のＣＰＵがプログラムを実行することで実現可能である。
【００３３】
まず、本実施例によるＷｅｂアプリケーションシステムを構成するクライアント側のアプリケーション（以下、端末アプリケーションとする）が、Ｗｅｂサーバ２から携帯端末装置１にダウンロードされる（図２のａ１参照）（図３ステップＳ１）。
【００３４】
この端末アプリケーションは、最初に起動された際に（図２のａ２参照）（図３ステップＳ２）、Ｗｅｂサーバ２上のスクリプトを呼び出すように設定されている（図２のａ３，ａ４参照）。端末アプリケーションによって呼び出されたスクリプトが実行されると（図２のａ５参照）、このスクリプトによってコンテンツ格納手段１１が起動され（図２のａ６参照）、コンテンツ格納手段１１によってあるサービスを提供する一つ以上のコンテンツの集まりが記憶装置１５に格納される（図２のａ７参照）（図３ステップＳ３）。このスクリプトは、必要なら、さらに別のサービスを提供する一つ以上のコンテンツの集まりをコンテンツ格納手段１１によって記憶装置１５に格納させることもできる。
【００３５】
携帯端末装置１において登録されたサービスを実行する場合には（図３ステップＳ４）、端末アプリケーションを起動し（図３ステップＳ５）、該当するサービスに属するコンテンツを実行することによって行う（図３ステップＳ６）。
【００３６】
コンテンツ読取り手段１２はオンラインコンテンツ（ネットワーク１００上のＷｅｂサーバ２に格納されたコンテンツ）またはオフラインコンテンツ（記憶装置１５に格納されたコンテンツ）を読取ってコンテンツ解釈実行手段１３に渡し（図３ステップＳ７）、コンテンツ解釈実行手段１３はそのコンテンツを解釈して実行する（図３ステップＳ８）。携帯端末装置１では処理終了となるまで（図３ステップＳ９）、上記の各ステップの処理が実行される。
【００３７】
コンテンツ上の変数に関する記述の解釈について、図４及び図５に示すコンテンツ記述の例を用いて説明する。図４及び図５では、本実施例によるＷｅｂアプリケーションシステムで動作するコンテンツＡ，Ｂ，Ｃを例としてあげている。コンテンツＢはコンテンツＡの遷移先であり、コンテンツＣにはコンテンツＡの永続変数群へのアクセス権が与えられているものとする。
【００３８】
図４（ａ）においては、コンテンツＡの一部（行末の番号は説明上で付与したもの）を示している。コンテンツ解釈実行手段１３は（１）の行によって、変数“ａ”の定義と解釈し、変数群に変数名ａとその値“５０”とを記憶する。この時、既に変数“ａ”が定義されている場合には定義されている変数“ａ”に“５０”を記憶する。
【００３９】
コンテンツ解釈実行手段１３は（２）の行によって、変数“ａ”の値を変数群から参照し、出力装置１６に出力する。コンテンツ解釈実行手段１３は（３）の行によって、変数“ａ”の値を“５０”から“１００”に変更する。コンテンツ解釈実行手段１３は（４）の行によって、変数“ａ”を永続変数群“ｓａｍｐｌｅ”としてストレージ（記憶装置１５）に保存する。
【００４０】
コンテンツ解釈実行手段１３は（５）の行によって、変数“ａ”の削除と解釈し、変数群から変数“ａ”とその値とを削除する。コンテンツ解釈実行手段１３は（６）の行によって、コンテンツＢの一部である“ｂ．ｘｍｌ”への遷移として解釈し、その遷移を実行する。（６）の行のｉｎｈｅｒｉｔ＝“ｔｒｕｅ”という表記によって、“ｂ．ｘｍｌ”への遷移は変数群を引き継ぐものとなる。
【００４１】
図４（ｂ）においては、コンテンツＢの一部を示している。コンテンツＢの一部である“ｂ．ｘｍｌ”はコンテンツＡから遷移する際、変数群を引き継いでいるため、コンテンツ解釈実行手段１３は（７）の行によって、変数“ａ”の値を変数群から参照し、出力装置１６に出力する。
【００４２】
図５においては、コンテンツＣの一部を示している。コンテンツＣはコンテンツＡまたはコンテンツＢから遷移することはないが、コンテンツＡの永続変数群へのアクセス権が定義されているため、コンテンツ解釈実行手段１３は（８）の行によって、ストレージ（記憶装置１５）から永続変数群“ｓａｍｐｌｅ”を読込むことができ、変数“ａ”の値を出力装置１６に出力すること［（９）の行］ができる。
【００４３】
このように、本実施例では、コンテンツ中に決まった構文にて変数を定義、参照、更新、削除することで、Ｗｅｂサーバ２側の処理を考慮せずとも、変数を用いることができ、またそれらの変数がコンテンツをまたがって参照できる、または参照できないことが指定可能となるため、変数を使用したコンテンツを容易に構築することができる。
【００４４】
また、本実施例では、必要な変数を携帯端末装置１側のストレージ（記憶装置１５）に保存することができ、その変数へのアクセスが許可されたコンテンツが記憶装置１５に格納されていれば、変数を参照することができるため、携帯端末装置１とＷｅｂサーバ２との間の通信がない状態（オフライン）でも、コンテンツを閲覧することが出来る。
【００４５】
尚、本実施例は、携帯端末装置１上で利用できるコンテンツを簡単に構築することができる。例えば、クーポンを提供するようなサービスを考えた場合、クーポンの有無を変数として定義しておき、その変数を参照するようなコンテンツを準備することで、ユーザがＷｅｂサーバ２にアクセスしなくても、クーポンの状況（有無）を確認することができる。
【図面の簡単な説明】
【００４６】
【図１】本発明の一実施例によるＷｅｂアプリケーションシステムの構成を示すブロック図である。
【図２】本発明の一実施例によるＷｅｂアプリケーションシステムの動作を示すシーケンスチャートである。
【図３】図１の携帯端末装置の動作を示すフローチャートである。
【図４】本発明の一実施例によるコンテンツの一例を示す図である。
【図５】本発明の一実施例によるコンテンツの一例を示す図である。
【符号の説明】
【００４７】
１  携帯端末装置
２  Ｗｅｂサーバ
１１  コンテンツ格納手段
１２  コンテンツ読取り手段
１３  コンテンツ解釈実行手段
１４  通信手段
１５  記憶装置
１６  出力装置
１００  ネットワーク
【図１】
0005211417.tif 000002
【図２】
0005211417.tif 000003
【図３】
0005211417.tif 000004
【図４】
0005211417.tif 000005
【図５】
0005211417.tif 000006